(57)【要約】【課題】ユーザの要求に合致した記録方法を選択する。【解決手段】ＨＤＤレコーダのＭＰＵ１１は、受信された１の物理チャンネルに対応する番組情報を記録するか、又は、１のサブチャンネルに対応する番組情報を記録するかを設定する第１設定部１１２と、後者の場合に、１のサブチャンネルに対応するチャンネル番号を設定する第２設定部１１３と、後者の場合に、受信された番組情報の中から、設定された１のサブチャンネルに対応する番組情報を抽出する抽出部１１４と、前者の場合に、受信された１の物理チャンネルに対応する番組情報を番組情報記憶部１９１に記録すると共に、後者の場合に、抽出された１のサブチャンネルに対応する番組情報を番組情報記憶部１９１に記録する記録実行部１１５と、を備えている。【選択図】図２
2008199240.tif 000002
【特許請求の範囲】
【請求項１】
デジタル放送を受信し、受信した番組情報を格納すると共に、モニタと通信可能に接続されたデジタル放送記録装置であって、
予め設定された２以上の所定数のサブチャンネルを含む１の物理チャンネルのデジタル放送を受信する受信手段と、
前記受信手段によって受信された番組情報を格納する番組情報記憶手段と、
前記モニタを介して、外部からの操作入力を受け付けて、受け付けられた操作入力に基づいて、前記受信手段を介して受信された１の物理チャンネルに対応する番組情報を記録するか、又は、前記１の物理チャンネルに含まれる所定数のサブチャンネルの内、１のサブチャンネル若しくは前記所定数未満の複数のサブチャンネルに対応する番組情報を記録するかを示す記録条件を設定する第１設定手段と、
前記第１設定手段によって１のサブチャンネル若しくは前記所定数未満の複数のサブチャンネルに対応する番組情報を記録すると設定された場合に、前記モニタを介して、外部からの操作入力を受け付けて、受け付けられた操作入力に基づいて、前記１のサブチャンネル若しくは前記所定数未満の複数のサブチャンネルに対応するチャンネル番号を設定する第２設定手段と、
前記第１設定手段によって１のサブチャンネル若しくは前記所定数未満の複数のサブチャンネルに対応する番組情報を記録すると設定された場合に、前記受信手段によって受信された番組情報の中から、前記第２設定手段によって設定された１のサブチャンネル若しくは前記所定数未満の複数のサブチャンネルに対応する番組情報を抽出する抽出手段と、
前記第１設定手段によって１の物理チャンネルに対応する番組情報を記録すると設定された場合に、前記受信手段によって受信された１の物理チャンネルに対応する番組情報を前記番組情報記憶手段に記録すると共に、前記第１設定手段によって１のサブチャンネル若しくは前記所定数未満の複数のサブチャンネルに対応する番組情報を記録すると設定された場合に、前記抽出手段によって抽出された１のサブチャンネル若しくは前記所定数未満の複数のサブチャンネルに対応する番組情報を前記番組情報記憶手段に記録する記録実行手段と、
を備えることを特徴とするデジタル放送記録装置。
【請求項２】
デジタル放送を受信し、受信した番組情報を格納するデジタル放送記録装置であって、
予め設定された２以上の所定数のサブチャンネルを含む１の物理チャンネルのデジタル放送を受信する受信手段と、
前記受信手段によって受信された番組情報を格納する番組情報記憶手段と、
外部からの操作入力を受け付けて、受け付けられた操作入力に基づいて、前記受信手段を介して受信された１の物理チャンネルに対応する番組情報を記録するか、又は、前記１の物理チャンネルに含まれる所定数のサブチャンネルの内、１のサブチャンネルに対応する番組情報を記録するかを示す記録条件を設定する第１設定手段と、
前記第１設定手段によって１のサブチャンネルに対応する番組情報を記録すると設定された場合に、外部からの操作入力を受け付けて、受け付けられた操作入力に基づいて、前記１のサブチャンネルに対応するチャンネル番号を設定する第２設定手段と、
前記第１設定手段によって１のサブチャンネルに対応する番組情報を記録すると設定された場合に、前記受信手段によって受信された番組情報の中から、前記第２設定手段によって設定された１のサブチャンネルに対応する番組情報を抽出する抽出手段と、
前記第１設定手段によって１の物理チャンネルに対応する番組情報を記録すると設定された場合に、前記受信手段によって受信された１の物理チャンネルに対応する番組情報を前記番組情報記憶手段に記録すると共に、前記第１設定手段によって１のサブチャンネルに対応する番組情報を記録すると設定された場合に、前記抽出手段によって抽出された１のサブチャンネルに対応する番組情報を前記番組情報記憶手段に記録する記録実行手段と、
を備えることを特徴とするデジタル放送記録装置。
【請求項３】
デジタル放送を受信し、受信した番組情報を格納するデジタル放送記録装置であって、
予め設定された２以上の所定数のサブチャンネルを含む１の物理チャンネルのデジタル放送を受信する受信手段と、
前記受信手段によって受信された番組情報を格納する番組情報記憶手段と、
外部からの操作入力を受け付けて、受け付けられた操作入力に基づいて、前記受信手段を介して受信された１の物理チャンネルに対応する番組情報を記録するか、又は、前記１の物理チャンネルに含まれる所定数のサブチャンネルの内、前記所定数未満の複数のサブチャンネルに対応する番組情報を記録するかを示す記録条件を設定する第１設定手段と、
前記第１設定手段によって前記所定数未満の複数のサブチャンネルに対応する番組情報を記録すると設定された場合に、外部からの操作入力を受け付けて、受け付けられた操作入力に基づいて、前記所定数未満の複数のサブチャンネルに対応するチャンネル番号をそれぞれ設定する第２設定手段と、
前記第１設定手段によって前記所定数未満の複数のサブチャンネルに対応する番組情報を記録すると設定された場合に、前記受信手段によって受信された番組情報の中から、前記第２設定手段によって設定された前記所定数未満の複数のサブチャンネルに対応する番組情報をそれぞれ抽出する抽出手段と、
前記第１設定手段によって１の物理チャンネルに対応する番組情報を記録すると設定された場合に、前記受信手段によって受信された１の物理チャンネルに対応する番組情報を前記番組情報記憶手段に記録すると共に、前記第１設定手段によって前記所定数未満の複数のサブチャンネルに対応する番組情報を記録すると設定された場合に、前記抽出手段によって抽出された前記所定数未満の複数のサブチャンネルに対応する番組情報を前記番組情報記憶手段に記録する記録実行手段と、
を備えることを特徴とするデジタル放送記録装置。
【請求項４】
モニタと通信可能に接続され、
前記第１設定手段は、前記モニタを介して、記録条件を設定し、
前記第２設定手段は、前記モニタを介して、チャンネル番号を設定することを特徴とする請求項２又は請求項３に記載のデジタル放送記録装置。
【発明の詳細な説明】
【技術分野】
【０００１】
本発明は、デジタル放送を受信し、受信した番組情報を格納するデジタル放送記録装置に関する。
【背景技術】
【０００２】
デジタル放送では、１の物理チャンネル（周波数帯）に複数のサブチャンネル（番組）を多重化して送信するＴＳ（Ｔｒａｎｓｐｏｒｔ  Ｓｔｒｅａｍ：トランスポートストリーム）形式が採用されている。この多重化されたデジタル放送を受信して記録する方式としては、例えば、ＴＳ形式で受信した複数の放送番組（＝サブチャンネル）から１の放送番組（＝サブチャンネル）を抽出して記録する記録再生装置が開示されている（特許文献１参照）。
【特許文献１】特開２０００−４０３００号公報
【発明の開示】
【発明が解決しようとする課題】
【０００３】
しかしながら、上記記録再生装置においては、複数のサブチャンネル（番組）が受信されているにもかかわらず、１のサブチャンネル（番組）のみが記録されるため、複数のサブチャンネル（番組）を同時に記録することができない。一方、受信した複数の放送番組（＝サブチャンネル）をそのままのＴＳ形式で記録することも可能であるが、この場合には、膨大な記憶容量を要することになる。
【０００４】
本発明は、上記課題に鑑みてなされたものであって、ユーザの要求に合致した記録方法を選択することの可能なデジタル放送記録装置を提供することを目的としている。
【課題を解決するための手段】
【０００５】
上記目的を達成するために請求項１に記載のデジタル放送記録装置は、デジタル放送を受信し、受信した番組情報を格納すると共に、モニタと通信可能に接続されたデジタル放送記録装置であって、予め設定された２以上の所定数のサブチャンネルを含む１の物理チャンネルのデジタル放送を受信する受信手段と、前記受信手段によって受信された番組情報を格納する番組情報記憶手段と、前記モニタを介して、外部からの操作入力を受け付けて、受け付けられた操作入力に基づいて、前記受信手段を介して受信された１の物理チャンネルに対応する番組情報を記録するか、又は、前記１の物理チャンネルに含まれる所定数のサブチャンネルの内、１のサブチャンネル若しくは前記所定数未満の複数のサブチャンネルに対応する番組情報を記録するかを示す記録条件を設定する第１設定手段と、前記第１設定手段によって１のサブチャンネル若しくは前記所定数未満の複数のサブチャンネルに対応する番組情報を記録すると設定された場合に、前記モニタを介して、外部からの操作入力を受け付けて、受け付けられた操作入力に基づいて、前記１のサブチャンネル若しくは前記所定数未満の複数のサブチャンネルに対応するチャンネル番号を設定する第２設定手段と、前記第１設定手段によって１のサブチャンネル若しくは前記所定数未満の複数のサブチャンネルに対応する番組情報を記録すると設定された場合に、前記受信手段によって受信された番組情報の中から、前記第２設定手段によって設定された１のサブチャンネル若しくは前記所定数未満の複数のサブチャンネルに対応する番組情報を抽出する抽出手段と、前記第１設定手段によって１の物理チャンネルに対応する番組情報を記録すると設定された場合に、前記受信手段によって受信された１の物理チャンネルに対応する番組情報を前記番組情報記憶手段に記録すると共に、前記第１設定手段によって１のサブチャンネル若しくは前記所定数未満の複数のサブチャンネルに対応する番組情報を記録すると設定された場合に、前記抽出手段によって抽出された１のサブチャンネル若しくは前記所定数未満の複数のサブチャンネルに対応する番組情報を前記番組情報記憶手段に記録する記録実行手段と、を備えることを特徴としている。
【０００６】
請求項２に記載のデジタル放送記録装置は、デジタル放送を受信し、受信した番組情報を格納するデジタル放送記録装置であって、予め設定された２以上の所定数のサブチャンネルを含む１の物理チャンネルのデジタル放送を受信する受信手段と、前記受信手段によって受信された番組情報を格納する番組情報記憶手段と、外部からの操作入力を受け付けて、受け付けられた操作入力に基づいて、前記受信手段を介して受信された１の物理チャンネルに対応する番組情報を記録するか、又は、前記１の物理チャンネルに含まれる所定数のサブチャンネルの内、１のサブチャンネルに対応する番組情報を記録するかを示す記録条件を設定する第１設定手段と、前記第１設定手段によって１のサブチャンネルに対応する番組情報を記録すると設定された場合に、外部からの操作入力を受け付けて、受け付けられた操作入力に基づいて、前記１のサブチャンネルに対応するチャンネル番号を設定する第２設定手段と、前記第１設定手段によって１のサブチャンネルに対応する番組情報を記録すると設定された場合に、前記受信手段によって受信された番組情報の中から、前記第２設定手段によって設定された１のサブチャンネルに対応する番組情報を抽出する抽出手段と、前記第１設定手段によって１の物理チャンネルに対応する番組情報を記録すると設定された場合に、前記受信手段によって受信された１の物理チャンネルに対応する番組情報を前記番組情報記憶手段に記録すると共に、前記第１設定手段によって１のサブチャンネルに対応する番組情報を記録すると設定された場合に、前記抽出手段によって抽出された１のサブチャンネルに対応する番組情報を前記番組情報記憶手段に記録する記録実行手段と、を備えることを特徴としている。
【０００７】
請求項３に記載のデジタル放送記録装置は、デジタル放送を受信し、受信した番組情報を格納するデジタル放送記録装置であって、予め設定された２以上の所定数のサブチャンネルを含む１の物理チャンネルのデジタル放送を受信する受信手段と、前記受信手段によって受信された番組情報を格納する番組情報記憶手段と、外部からの操作入力を受け付けて、受け付けられた操作入力に基づいて、前記受信手段を介して受信された１の物理チャンネルに対応する番組情報を記録するか、又は、前記１の物理チャンネルに含まれる所定数のサブチャンネルの内、前記所定数未満の複数のサブチャンネルに対応する番組情報を記録するかを示す記録条件を設定する第１設定手段と、前記第１設定手段によって前記所定数未満の複数のサブチャンネルに対応する番組情報を記録すると設定された場合に、外部からの操作入力を受け付けて、受け付けられた操作入力に基づいて、前記所定数未満の複数のサブチャンネルに対応するチャンネル番号をそれぞれ設定する第２設定手段と、前記第１設定手段によって前記所定数未満の複数のサブチャンネルに対応する番組情報を記録すると設定された場合に、前記受信手段によって受信された番組情報の中から、前記第２設定手段によって設定された前記所定数未満の複数のサブチャンネルに対応する番組情報をそれぞれ抽出する抽出手段と、前記第１設定手段によって１の物理チャンネルに対応する番組情報を記録すると設定された場合に、前記受信手段によって受信された１の物理チャンネルに対応する番組情報を前記番組情報記憶手段に記録すると共に、前記第１設定手段によって前記所定数未満の複数のサブチャンネルに対応する番組情報を記録すると設定された場合に、前記抽出手段によって抽出された前記所定数未満の複数のサブチャンネルに対応する番組情報を前記番組情報記憶手段に記録する記録実行手段と、を備えることを特徴としている。
【０００８】
請求項４に記載のデジタル放送記録装置は、請求項２又は請求項３に記載のデジタル放送記録装置であって、モニタと通信可能に接続され、前記第１設定手段が、前記モニタを介して、記録条件を設定し、前記第２設定手段が、前記モニタを介して、チャンネル番号を設定することを特徴としている。
【発明の効果】
【０００９】
請求項１に記載のデジタル放送記録装置によれば、予め設定された２以上の所定数のサブチャンネルを含む１の物理チャンネルのデジタル放送が受信され、外部からの操作入力が受け付けられて、受け付けられた操作入力に基づいて、受信された１の物理チャンネルに対応する番組情報を記録するか、又は、１の物理チャンネルに含まれる所定数のサブチャンネルの内、１のサブチャンネル若しくは所定数未満の複数のサブチャンネルに対応する番組情報を記録するかを示す記録条件が設定される。そして、１のサブチャンネル若しくは所定数未満の複数のサブチャンネルに対応する番組情報を記録すると設定された場合に、外部からの操作入力が受け付けられて、受け付けられた操作入力に基づいて、１のサブチャンネル若しくは所定数未満の複数のサブチャンネルに対応するチャンネル番号が設定される。また、１のサブチャンネル若しくは所定数未満の複数のサブチャンネルに対応する番組情報を記録すると設定された場合に、受信された番組情報の中から、設定された１のサブチャンネル若しくは所定数未満の複数のサブチャンネルに対応する番組情報が抽出される。更に、１の物理チャンネルに対応する番組情報を記録すると設定された場合に、受信された１の物理チャンネルに対応する番組情報が番組情報記憶手段に記録されると共に、１のサブチャンネル若しくは所定数未満の複数のサブチャンネルに対応する番組情報を記録すると設定された場合に、抽出された１のサブチャンネル若しくは所定数未満の複数のサブチャンネルに対応する番組情報が番組情報記憶手段に記録されるため、ユーザの要求に合致した記録方法を選択することができる。
【００１０】
すなわち、１の物理チャンネルに含まれる所定数のサブチャンネルをまとめて記録することをユーザが所望する場合には、１の物理チャンネルに対応する番組情報を記録すると設定すればよく、また、１のサブチャンネルに対応する番組情報を記録することをユーザが所望する場合には、１のサブチャンネルに対応する番組情報を記録すると設定し、更に、１のサブチャンネルに対応するチャンネル番号を設定すればよく、更にまた、所定数未満の複数のサブチャンネルに対応する番組情報を記録することをユーザが所望する場合には、所定数未満の複数のサブチャンネルに対応する番組情報を記録すると設定し、更に、所定数未満の複数のサブチャンネルにそれぞれ対応するチャンネル番号を設定すればよいため、ユーザの要求に合致した記録方法を選択することができるのである。
【００１１】
また、モニタを介して、記録条件が設定されると共に、チャンネル番号が設定されるため、ユーザが容易に且つ簡便に記録方法を選択することができる。
【００１２】
請求項２に記載のデジタル放送記録装置によれば、予め設定された２以上の所定数のサブチャンネルを含む１の物理チャンネルのデジタル放送が受信され、外部からの操作入力が受け付けられて、受け付けられた操作入力に基づいて、受信された１の物理チャンネルに対応する番組情報を記録するか、又は、１の物理チャンネルに含まれる所定数のサブチャンネルの内、１のサブチャンネルに対応する番組情報を記録するかを示す記録条件が設定される。そして、１のサブチャンネルに対応する番組情報を記録すると設定された場合に、外部からの操作入力が受け付けられて、受け付けられた操作入力に基づいて、１のサブチャンネルに対応するチャンネル番号が設定される。また、１のサブチャンネルに対応する番組情報を記録すると設定された場合に、受信された番組情報の中から、設定された１のサブチャンネルに対応する番組情報が抽出される。更に、１の物理チャンネルに対応する番組情報を記録すると設定された場合に、受信された１の物理チャンネルに対応する番組情報が番組情報記憶手段に記録されると共に、１のサブチャンネルに対応する番組情報を記録すると設定された場合に、抽出された１のサブチャンネルに対応する番組情報が番組情報記憶手段に記録されるため、ユーザの要求に合致した記録方法を選択することができる。
【００１３】
すなわち、１の物理チャンネルに含まれる所定数のサブチャンネルをまとめて記録することをユーザが所望する場合には、１の物理チャンネルに対応する番組情報を記録すると設定すればよく、また、１のサブチャンネルに対応する番組情報を記録することをユーザが所望する場合には、１のサブチャンネルに対応する番組情報を記録すると設定し、更に、１のサブチャンネルに対応するチャンネル番号を設定すればよいため、ユーザの要求に合致した記録方法を選択することができるのである。
【００１４】
請求項３に記載のデジタル放送記録装置によれば、予め設定された２以上の所定数のサブチャンネルを含む１の物理チャンネルのデジタル放送が受信され、外部からの操作入力が受け付けられて、受け付けられた操作入力に基づいて、受信された１の物理チャンネルに対応する番組情報を記録するか、又は、１の物理チャンネルに含まれる所定数のサブチャンネルの内、所定数未満の複数のサブチャンネルに対応する番組情報を記録するかを示す記録条件が設定される。そして、所定数未満の複数のサブチャンネルに対応する番組情報を記録すると設定された場合に、外部からの操作入力が受け付けられて、受け付けられた操作入力に基づいて、所定数未満の複数のサブチャンネルに対応するチャンネル番号がそれぞれ設定される。また、所定数未満の複数のサブチャンネルに対応する番組情報を記録すると設定された場合に、受信された番組情報の中から、設定された所定数未満の複数のサブチャンネルに対応する番組情報がそれぞれ抽出される。更に、１の物理チャンネルに対応する番組情報を記録すると設定された場合に、受信された１の物理チャンネルに対応する番組情報が番組情報記憶手段に記録されると共に、所定数未満の複数のサブチャンネルに対応する番組情報を記録すると設定された場合に、抽出された所定数未満の複数のサブチャンネルに対応する番組情報が前記番組情報記憶手段に記録されるため、ユーザの要求に合致した記録方法を選択することができる。
【００１５】
すなわち、１の物理チャンネルに含まれる所定数のサブチャンネルをまとめて記録することをユーザが所望する場合には、１の物理チャンネルに対応する番組情報を記録すると設定すればよく、また、所定数未満の複数のサブチャンネルに対応する番組情報を記録することをユーザが所望する場合には、所定数未満の複数のサブチャンネルに対応する番組情報を記録すると設定し、更に、所定数未満の複数のサブチャンネルにそれぞれ対応するチャンネル番号を設定すればよいため、ユーザの要求に合致した記録方法を選択することができるのである。
【００１６】
請求項４に記載のデジタル放送記録装置によれば、モニタを介して、記録条件が設定されると共に、チャンネル番号が設定されるため、ユーザが容易に且つ簡便に記録方法を選択することができる。
【発明を実施するための最良の形態】
【００１７】
以下に本発明の実施形態を、図面を参照しながら説明する。図１は、本発明に係るＨＤＤレコーダの構成の一例を示すブロック図である。ＨＤＤレコーダ１（デジタル放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１８】
ＨＤＤレコーダ１は、リモコン３を介してユーザからの操作入力を受け付けて、受け付けた操作入力に基づいて、テレビジョン放送を受信し、受信した番組情報を格納するものである。また、ＨＤＤレコーダ１は、格納された番組情報を読み出して、出力装置２に対して映像及び音声を出力するものである。
【００１９】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００２０】
リモコン３（第１設定手段の一部、第２設定手段の一部に相当する）は、ユーザからの操作入力を受け付けて、受け付けられた操作入力に対応する赤外線信号を生成して、ＨＤＤレコーダ１に対して出力するものである。
【００２１】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２２】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１を動作させる制御プログラム等を格納するものである。
【００２３】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２４】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２５】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２６】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２７】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００２８】
ＨＤＤ（Ｈａｒｄ  Ｄｉｓｋ  Ｄｒｉｖｅ）１９は、ＭＰＵ１からの指示に従って映像情報、音声情報等の種々の情報を格納するものである。
【００２９】
次に、ＨＤＤレコーダ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３０】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３１】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３２】
図２は、本発明に係るＨＤＤレコーダ１における主要部の構成の一例を示すブロック図である。ＭＰＵ１１は、機能的に、録画予約部１１１、第１設定部１１２、第２設定部１１３、抽出部１１４、及び、記録実行部１１５を備え、ＲＡＭ１２は、機能的に、録画予約記憶部１２１を備えている。また、ＨＤＤ１９は、機能的に、番組情報記憶部１９１を備えている。
【００３３】
ここでは、ＭＰＵ１１が、図１に示すＲＯＭ１３等に予め格納された制御プログラムを読み出して実行することにより、録画予約部１１１、第１設定部１１２、第２設定部１１３、抽出部１１４、記録実行部１１５等の機能部として機能すると共に、ＲＡＭ１２を、録画予約記憶部１２１等の機能部として機能させ、ＨＤＤ１９を番組情報記憶部１９１等の機能部として機能させるものである。
【００３４】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ、半導体メモリ等である。
【００３５】
録画予約記憶部１２１は、録画予約部１１１及び第２設定部１１３によって設定された録画する番組の物理チャンネル番号情報、サブチャンネル番号情報、録画開始日時情報、録画終了日時情報等を格納するものである。
【００３６】
番組情報記憶部１９１（番組情報記憶手段に相当する）は、記録実行部１１５によって受信部１５を介して取得された番組情報を格納するものである。
【００３７】
録画予約部１１１は、リモコン３を介してユーザからの操作入力を受け付けて、受け付けられた操作入力に基づいて、録画する番組の物理チャンネル番号情報、録画開始日時情報、録画終了日時情報を設定すると共に、設定された情報を録画予約記憶部１２１に格納するものである。
【００３８】
第１設定部１１２（第１設定手段の一部に相当する）は、ディスプレイ２１及びリモコン３を介してユーザからの操作入力を受け付けて、受け付けられた操作入力に基づいて、受信部１５を介して受信された１の物理チャンネルに対応する番組情報を記録するか、又は、１の物理チャンネルに含まれる所定数（例えば、３個）のサブチャンネルの内、１のサブチャンネル若しくは所定数（ここでは、３個）未満の複数（例えば、２個）のサブチャンネルに対応する番組情報を記録するかを示す記録条件を設定するものである。
【００３９】
すなわち、第１設定部１１２は、受信部１５を介して受信された１の物理チャンネル全体に対応する番組情報を記録するか、又は、受信部１５を介して受信された１の物理チャンネルに含まれるサブチャンネルに対応する番組情報を記録するかを設定するものである。
【００４０】
第２設定部１１３（第２設定手段の一部に相当する）は、第１設定部１１２によって１のサブチャンネル若しくは所定数（ここでは、３個）未満の複数（ここでは、２個）のサブチャンネルに対応する番組情報を記録すると設定された場合に、ディスプレイ２１及びリモコン３を介して、ユーザからの操作入力を受け付けて、受け付けられた操作入力に基づいて、１のサブチャンネル若しくは所定数（ここでは、３個）未満の複数（ここでは、２個）のサブチャンネルに対応するチャンネル番号を設定するものである。
【００４１】
すなわち、第２設定部１１３は、第１設定部１１２によって１のサブチャンネルに対応する番組情報を記録すると設定された場合に、１のサブチャンネルに対応するチャンネル番号を設定すると共に、第１設定部１１２によって複数のサブチャンネルに対応する番組情報を記録すると設定された場合に、複数のサブチャンネルに対応するチャンネル番号をそれぞれ設定するものである。また、第２設定部１１３は、設定されたサブチャンネルに対応するチャンネル番号を録画予約記憶部１２１に格納するものである。
【００４２】
抽出部１１４（抽出手段に相当する）は、第１設定部１１２によって１のサブチャンネル若しくは所定数（ここでは、３個）未満の複数（ここでは、２個）のサブチャンネルに対応する番組情報を記録すると設定された場合に、受信部１５によって受信された番組情報の中から、第２設定部１１３によって設定された１のサブチャンネル若しくは所定数（ここでは、３個）未満の複数（ここでは、２個）のサブチャンネルに対応する番組情報を抽出するものである。
【００４３】
すなわち、抽出部１１４は、第１設定部１１２によって１のサブチャンネルに対応する番組情報を記録すると設定された場合に、受信部１５によって受信された番組情報の中から、第２設定部１１３によって設定された１のサブチャンネルに対応する番組情報を抽出すると共に、第１設定部１１２によって所定数（ここでは、３個）未満の複数（ここでは、２個）のサブチャンネルに対応する番組情報を記録すると設定された場合に、受信部１５によって受信された番組情報の中から、第２設定部１１３によって設定された所定数（ここでは、３個）未満の複数（ここでは、２個）のサブチャンネルに対応する番組情報を抽出するものである。
【００４４】
記録実行部１１５（記録実行手段に相当する）は、第１設定部１１２によって１の物理チャンネルに対応する番組情報を記録すると設定された場合に、受信部１５によって受信された１の物理チャンネルに対応する番組情報を番組情報記憶部１９１に記録すると共に、第１設定部１１２によって１のサブチャンネル若しくは所定数（ここでは、３個）未満の複数（ここでは、２個）のサブチャンネルに対応する番組情報を記録すると設定された場合に、抽出部１１４によって抽出された１のサブチャンネル若しくは所定数（ここでは、３個）未満の複数（ここでは、２個）のサブチャンネルに対応する番組情報を番組情報記憶部１９１に記録するものである。
【００４５】
すなわち、記録実行部１１５は、第１設定部１１２によって１の物理チャンネルに対応する番組情報を記録すると設定された場合に、受信部１５によって受信された１の物理チャンネルに対応する番組情報を番組情報記憶部１９１に記録し、第１設定部１１２によって１のサブチャンネルに対応する番組情報を記録すると設定された場合に、抽出部１１４によって抽出された１のサブチャンネルに対応する番組情報を番組情報記憶部１９１に記録し、第１設定部１１２によって所定数（ここでは、３個）未満の複数（ここでは、２個）のサブチャンネルに対応する番組情報を記録すると設定された場合に、抽出部１１４によって抽出された所定数（ここでは、３個）未満の複数（ここでは、２個）のサブチャンネルに対応する番組情報を番組情報記憶部１９１に記録するものである。
【００４６】
図３は、録画予約部１１１及び第２設定部１１３によってディスプレイ２１に表示される録画予約画面の一例を示す画面図である。録画予約画面４００には、上から順に、物理チャンネル番号表示部４０１、サブチャンネル番号表示部４０２、録画開始日表示部４０３、録画開始時刻表示部４０４、及び、録画終了時刻表示部４０５が表示されている。
【００４７】
物理チャンネル番号表示部４０１は、リモコン３を介して受け付けられた番組情報記憶部１９１に記録する番組の物理チャンネル番号を表示するものであって、録画予約部１１１によって表示されるものである。
【００４８】
サブチャンネル番号表示部４０２は、リモコン３を介して受け付けられた番組情報記憶部１９１に記録する番組のサブチャンネル番号を表示するものであって、第２設定部１１３によって表示されるものである。
【００４９】
なお、サブチャンネル番号表示部４０２に１のサブチャンネル番号が入力された場合には、第１設定部は、記録条件として、１の物理チャンネルに含まれる所定数（ここでは、３個）のサブチャンネルの内、１のサブチャンネルに対応する番組情報を記録すると設定し、サブチャンネル番号表示部４０２に複数のサブチャンネル番号が入力された場合には、第１設定部は、記録条件として、１の物理チャンネルに含まれる所定数（ここでは、３個）のサブチャンネルの内、複数のサブチャンネルに対応する番組情報を記録すると設定し、サブチャンネル番号表示部４０２にサブチャンネル番号が入力されない場合には、第１設定部は、記録条件として、１の物理チャンネルに対応する番組情報を記録すると設定するものである。
【００５０】
録画開始日表示部４０３、録画開始時刻表示部４０４、及び、録画終了時刻表示部４０５は、それぞれ、リモコン３を介して受け付けられた番組情報記憶部１９１に記録する番組の録画開始月日、録画開始時刻、録画終了時刻を表示するものであって、録画予約部１１１によって表示されるものである。
【００５１】
ここでは、便宜上、録画する番組を予約して録画する場合について説明するが、本発明は、リモコン３に配設された録画ボタンが押下されたことを受け付けて録画する場合についても適用可能であって、図３（ｂ）、（ｃ）は、それぞれ、この場合に第１設定部１１２によって表示される第１設定画面及び第２設定部１１３によって表示される第２設定画面の一例を示す画面図である。
【００５２】
第１設定画面４１０には、ガイダンス表示部４１１、ＹＥＳボタン４１２及びＮＯボタン４１３が表示されている。ガイダンス表示部４１１には、ユーザに対して、受信部１５を介して受信されている物理チャンネル全体を録画するか否かの入力を促す旨のガイダンス情報が、「物理チャンネル全体を録画しますか？」と表示されている。
【００５３】
ＹＥＳボタン４１２は、物理チャンネル全体を録画する場合に選択されるボタンであり、ＮＯボタン４１３は、物理チャンネルに含まれる１又は複数のサブチャンネルを録画する場合に選択されるボタンである。また、ＹＥＳボタン４１２及びＮＯボタン４１３は、選択状態にある場合には、周囲の輪郭線が太線で表示され、ここでは、ＮＯボタン４１３の輪郭線が太線で表示され、ＮＯボタン４１３が選択状態にあることを示している。
【００５４】
第２設定画面４２０には、ガイダンス表示部４２１、サブチャンネル番号表示部４２２、ＹＥＳボタン４２３及びＮＯボタン４２４が表示されている。ガイダンス表示部４２１には、ユーザに対して、録画するサブチャンネル番号の選択を促す旨のガイダンス情報が、「どのサブチャンネルを録画しますか？」と表示されている。
【００５５】
サブチャンネル番号表示部４２２には、受信部１５を介して受信されている物理チャンネルに含まれるサブチャンネル番号を表示するものであって、第２設定部１１２によって表示されるものである。また、サブチャンネル番号表示部４２２に対応付けて、ＹＥＳボタン４２３、ＮＯボタン４２４が表示されており、ＹＥＳボタン４２３は、対応するサブチャンネル番号表示部４２２に表示されているサブチャンネル番号を録画する場合に選択されるボタンであって、ＮＯボタン４２４は、対応するサブチャンネル番号表示部４２２に表示されているサブチャンネル番号を録画しない場合に選択されるボタンである。
【００５６】
また、ＹＥＳボタン４２３及びＮＯボタン４２４は、選択状態にある場合には、周囲の輪郭線が太線で表示され、ここでは、サブチャンネル番号が「１」のサブチャンネル番号表示部４２２に対応するＹＥＳボタン４２３の輪郭線が太線で表示され、サブチャンネル番号が「２」及び「３」のサブチャンネル番号表示部４２２に対応するＮＯボタン４２４の輪郭線が太線で表示され、サブチャンネル番号「２」を録画する設定状態であることを示している。
【００５７】
このように、リモコン３に配設された録画ボタンが押下されたことを受け付けて録画する場合であっても、図３（ｂ）、（ｃ）に示す第１設定画面４１０及び第２設定画面４２０を介して、ユーザは、受信されている物理チャンネル全体を録画するか否かの設定、及び、録画するサブチャンネル番号の設定を行うことができる。
【００５８】
図４は、ＨＤＤレコーダ１（主にＭＰＵ１１）の動作の一例を示すフローチャートである。なお、ここでは、便宜上、予め録画予約部１１１、第１設定部１１２、第２設定部１１３によって録画予約番組の物理チャンネル番号情報、サブチャンネル番号情報、録画開始日時情報、及び、録画終了日時情報、が予め設定され、録画予約記憶部１２１に格納されている場合について説明する。
【００５９】
まず、記録実行部１１５によって、録画予約記憶部１２１に格納された録画開始日時情報が読み出されて、録画開始日時に到達したか否かの判定が行われる（Ｓ１０１）。録画開始日時に到達していないと判定された場合（Ｓ１０１でＮＯ）には、処理が待機状態とされる。録画開始日時に到達したと判定された場合（Ｓ１０１でＹＥＳ）には、記録実行部１１５によって、録画予約記憶部１２１に格納された物理チャンネル番号情報が読み出されて、読み出された物理チャンネル番号情報に対応する放送が受信部１５を介して受信される（Ｓ１０３）。
【００６０】
そして、記録実行部１１５によって、録画予約記憶部１２１に格納されたサブチャンネル番号情報が読み出されて、サブチャンネル番号情報の有無に基づいて物理チャンネル全体を録画するか否かの判定が行われる（Ｓ１０５）。サブチャンネル番号情報が無い場合には、記録実行部１１５によって、物理チャンネル全体を録画すると判定され（Ｓ１０５でＹＥＳ）、物理チャンネル全体の番組情報記憶部１９１への録画が開始される（Ｓ１１１）。
【００６１】
サブチャンネル番号情報が有る場合には、記録実行部１１５によって、録画予約記憶部１２１に格納されたサブチャンネル番号情報に対応するサブチャンネルを録画すると判定され（Ｓ１０５でＮＯ）、抽出部１１４によって、録画予約記憶部１２１に格納されたサブチャンネル番号情報に対応するサブチャンネルの番組情報が抽出される（Ｓ１０７）。そして、記録実行部１１５によって、ステップＳ１０７において抽出されたサブチャンネルの番組情報の番組情報記憶部１９１への録画が開始される（Ｓ１０９）。
【００６２】
ステップＳ１０９、又は、ステップＳ１１１の処理が終了した場合には、記録実行部１１５によって、録画予約記憶部１２１に格納された録画終了日時情報が読み出されて、録画終了日時に到達したか否かの判定が行われる（Ｓ１１３）。録画終了日時に到達していないと判定された場合（Ｓ１１３でＮＯ）には、処理が待機状態とされる。録画終了日時に到達したと判定された場合（Ｓ１１３でＹＥＳ）には、処理が終了される。
【００６３】
このようにして、予め設定された２以上の所定数（ここでは、３個）のサブチャンネルを含む１の物理チャンネルのデジタル放送が受信され、リモコン３を介してユーザからの操作入力が受け付けられて、受け付けられた操作入力に基づいて、受信部１５を介して受信された１の物理チャンネルに対応する番組情報を記録するか、又は、１の物理チャンネルに含まれる所定数（ここでは、３個）のサブチャンネルの内、１のサブチャンネル若しくは所定数（ここでは、３個）未満の複数（ここでは、２個）のサブチャンネルに対応する番組情報を記録するかを示す記録条件が設定される。
【００６４】
そして、１のサブチャンネルに対応する番組情報を記録すると設定された場合に、リモコン３を介してユーザからの操作入力が受け付けられて、受け付けられた操作入力に基づいて、１のサブチャンネルに対応するチャンネル番号が設定され、受信された番組情報の中から、設定された１のサブチャンネルに対応する番組情報が抽出される。
【００６５】
そして、所定数（ここでは、３個）未満の複数（ここでは、２個）のサブチャンネルに対応する番組情報を記録すると設定された場合に、リモコン３を介してユーザからの操作入力が受け付けられて、受け付けられた操作入力に基づいて、所定数（ここでは、３個）未満の複数（ここでは、２個）のサブチャンネルにそれぞれ対応するチャンネル番号が設定され、受信された番組情報の中から、設定された所定数（ここでは、３個）未満の複数（ここでは、２個）のサブチャンネルに対応する番組情報が抽出される。
【００６６】
更に、１の物理チャンネルに対応する番組情報を記録すると設定された場合に、受信された１の物理チャンネルに対応する番組情報が番組情報記憶部１９１に記録されると共に、１のサブチャンネルに対応する番組情報を記録すると設定された場合に、抽出された１のサブチャンネルに対応する番組情報が番組情報記憶手段に記録され、所定数（ここでは、３個）未満の複数（ここでは、２個）のサブチャンネルに対応する番組情報を記録すると設定された場合に、抽出された所定数（ここでは、３個）未満の複数（ここでは、２個）のサブチャンネルに対応する番組情報が番組情報記憶部１９１に記録されるため、ユーザの要求に合致した記録方法を選択することができる。
【００６７】
すなわち、１の物理チャンネルに含まれる所定数（ここでは、３個）のサブチャンネルをまとめて記録することをユーザが所望する場合には、１の物理チャンネルに対応する番組情報を記録すると設定すればよく、また、１のサブチャンネルに対応する番組情報を記録することをユーザが所望する場合には、１のサブチャンネルに対応する番組情報を記録すると設定し、更に、１のサブチャンネルに対応するチャンネル番号を設定すればよく、更にまた、所定数（ここでは、３個）未満の複数（ここでは、２個）のサブチャンネルに対応する番組情報を記録することをユーザが所望する場合には、所定数（ここでは、３個）未満の複数（ここでは、２個）のサブチャンネルに対応する番組情報を記録すると設定し、更に、所定数（ここでは、３個）未満の複数（ここでは、２個）のサブチャンネルにそれぞれ対応するチャンネル番号を設定すればよいため、ユーザの要求に合致した記録方法を選択することができるのである。
【００６８】
また、ディスプレイ２１に図３（ａ）に示す録画予約画面４００が表示され、録画予約画面４００を介して、１の物理チャンネルに対応する番組情報を記録するか否かを示す記録条件が設定されると共に、チャンネル番号が設定されるため、ユーザが容易に且つ簡便に記録方法を選択することができる。
【００６９】
なお、本発明は、以下の形態にも適用可能である。
（Ａ）本実施形態では、デジタル放送記録装置が、ＨＤＤレコーダ１である場合について説明したが、デジタル放送記録装置が、デジタル放送を受信し、受信した番組情報を他の記録媒体（例えば、ＤＶＤ等）に格納する装置であればよい。例えば、デジタル放送記録装置が、ＤＶＤレコーダである形態でもよい。
【００７０】
（Ｂ）本実施形態では、録画する番組を予約して録画する場合について説明したが、リモコン３に配設された録画ボタンが押下されたことを受け付けて録画する場合についても適用可能である（図３（ｂ）、（ｃ）参照）。
【図面の簡単な説明】
【００７１】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、録画予約部及び第２設定部によってディスプレイに表示される録画予約画面の一例を示す画面図である。
【図４】は、ＨＤＤレコーダ（主にＭＰＵ）の動作の一例を示すフローチャートである。
【符号の説明】
【００７２】
１    ＨＤＤレコーダ（デジタル放送記録装置）
１１    ＭＰＵ
１１１    録画予約部
１１２    第１設定部（第１設定手段の一部）
１１３    第２設定部（第２設定手段の一部）
１１４    抽出部（抽出手段）
１１５    記録実行部（記録実行手段）
１２    ＲＡＭ
１２１    録画予約記憶部
１９    ＨＤＤ
１９１    番組情報記憶部（番組情報記憶手段）
１５    受信部（受信手段）
２    出力装置
２１    ディスプレイ（モニタ）
３    リモコン（第１設定手段の一部、第２設定手段の一部）
【図１】
2008199240.tif 000003
【図２】
2008199240.tif 000004
【図３】
2008199240.tif 000005
【図４】
2008199240.tif 000006